(57)【要約】【課題】  デジタルテレビジョン放送用のＥＰＧと、テレビ会議のスケジュールの両方を同一画面上で確認できるようにする。【解決手段】  画像処理装置は、自機に表示されている画像データを特定するための情報を情報処理装置に送信し、画像処理装置の表示と情報処理装置の表示を同期させる。さらに、自機の姿勢に基づき、情報処理装置に表示されている画像データの向きを制御するための情報を送信することで、情報処理装置側の画像データを適切な向きで表示することが可能となる。【選択図】  図１
2009147801.tif 000002
【特許請求の範囲】
【請求項１】
テレビ会議のスケジュールを含む電子番組表を生成する生成手段と、
前記生成手段により生成された前記電子番組表を表示手段に表示する表示制御手段とを有することを特徴とするスケジュール管理装置。
【発明の詳細な説明】
【技術分野】
【０００１】
本発明は、電子番組表（ＥＰＧ：Ｅｌｅｃｔｒｏｎｉｃ  Ｐｒｏｇｒａｍ  Ｇｕｉｄｅ）を用いてスケジュール管理を行うスケジュール管理装置に関する。
【背景技術】
【０００２】
近年、多チャンネルで複数のテレビ番組を放送するデジタル放送が普及している。デジタルテレビジョン放送では、電子番組表（以下、ＥＰＧと呼ぶ）を利用することができる。
【０００３】
ＥＰＧに関する技術の一つとして、例えば、ＥＰＧにユーザのスケジュールを表示するものが知られている（特許文献１参照）。
【特許文献１】特開２００３−１９８９７８号公報
【発明の開示】
【発明が解決しようとする課題】
【０００４】
しかしながら、特許文献１に記載のＥＰＧでは、ユーザの行動予定は管理できても、テレビ電話、テレビレッスン等のテレビ会議を管理することはできない。そのため、テレビ電話、テレビレッスン等のテレビ会議を管理する場合には、別の酢ケージュール管理装置を用意しなければならないという問題があった。
【０００５】
そこで、本発明は、デジタルテレビジョン放送用のＥＰＧと、テレビ会議のスケジュールの両方を同一画面上で確認することができるスケジュール管理装置を提供することを目的とする。
【課題を解決するための手段】
【０００６】
本発明に係るスケジュール管理装置は、テレビ会議のスケジュールを含む電子番組表を生成する生成手段と、前記生成手段により生成された前記電子番組表を表示手段に表示する表示制御手段とを有することを特徴とする。
【発明の効果】
【０００７】
本発明によれば、デジタルテレビジョン放送用のＥＰＧと、ユーザのテレビ会議のスケジュールの両方を同一画面上で確認することができる。
【発明を実施するための最良の形態】
【０００８】
以下、添付図面を参照して本発明の好適な実施形態について説明する。
【０００９】
＜第１の実施形態＞
図１は、本発明の第１の実施形態におけるスケジュール管理装置１００の主要な構成要素を示すブロック図である。スケジュール管理装置１００は、デジタルテレビジョン放送を受信するデジタルテレビジョン放送受信装置でもある。
【００１０】
図１において、アンテナ１によって受信されたテレビジョンテレビジョン放送波は、チューナ２に入力される。チューナ２は、番組情報等の付加情報と、映像・音声情報とを制御部３に供給する。
【００１１】
制御部３は、付加情報を番組情報抽出部５に供給し、映像・音声情報を映像音声処理部４に供給する。
【００１２】
映像音声処理部４は、映像・音声信号を、スピーカ及びディスプレイを含む表示部１０に供給する。
【００１３】
番組情報抽出部５は、付加情報の中から番組情報を抽出し、記憶装置からなる番組情報データベース７に記録させる。
【００１４】
ＥＰＧ生成部８は、操作部６の指令に基づき制御部３に制御され、番組情報データベース７に格納されている番組情報を用いてＥＰＧ（電子番組表）を生成する。
【００１５】
表示制御部９は、ＥＰＧ生成部８で生成されたＥＰＧを映像信号に変換して表示部１０に表示させる。使用者は、ＥＰＧを見ながら操作部６により制御部３を操作してテレビ番組の選択（視聴するテレビ番組の予定）及び放映時間に自動的に受信するテレビ番組の予約を行うことができ、そのデータは番組情報データベース７に記録される。
【００１６】
使用者は、テレビ会議スケジュール入力部１１でテレビ会議の相手先登録、テレビ会議のスケジュール予約、及びスケジュール変更を行い、入力されたスケジュール情報はテレビ会議スケジュールデータベース１２に記録され、必要に応じてテレビ会議スケジュールデータベース１２からスケジュール情報がＥＰＧ生成部８に供給される。ＥＰＧ生成部８は、ＥＰＧに前記テレビ会議スケジュール情報を組み合わせて構成し、表示制御部９に映像信号に変換して表示部１０に表示させる。
【００１７】
また、使用者がテレビ会議のスケジュール予約及び変更を行うと、ネットワーク部１３を介して、相手先に対してテレビ会議のスケジュール情報を送信できる。逆に、相手先がテレビ会議のスケジュール予約及び変更を行うと、ネットワーク部１３から相手先からのテレビ会議のスケジュール情報を受信できる。受信したテレビ会議のスケジュール情報は、テレビ会議スケジュールデータベース１２に記録される。
【００１８】
さらに、ネットワーク部１３を用いて、テレビ会議の開始時間になると、相手先に自動的に接続し、テレビ会議による映像・音声情報を送受信する。
【００１９】
図３は、テレビ会議のスケジュール予約の手順を説明するためのフローチャートである。
【００２０】
ユーザは、操作部６によりテレビ会議予約を選択する（ステップＳ１００）。
【００２１】
ステップＳ１１０において、テレビ会議の相手先があらかじめスケジュール管理装置１００に登録されている場合は、ステップＳ１３０に進む。
【００２２】
テレビ会議の相手先がスケジュール管理装置１００に未登録の場合は、ステップＳ１２０に進み、スケジュール管理装置１００にテレビ会議の相手先を新規登録する。
【００２３】
テレビ会議スケジュール入力部１１よりテレビ会議の相手先ＩＤ、パスワード、相手先ＩＰアドレス、等のテレビ会議の相手先接続情報を入力する。入力された相手先接続情報は関連付けられて、テレビ会議スケジュールデータベース１２に記録される。
【００２４】
その後、ステップＳ１３０に進み、テレビ会議スケジュール入力部１１より前記登録されたテレビ会議の相手先の中から、テレビ会議の相手先を選択してステップＳ１４０に進む。
【００２５】
ステップＳ１４０では、テレビ会議スケジュール入力部１１よりテレビ会議の開始時間、テレビ会議の継続時間、録画の有無を設定する。
【００２６】
設定されたテレビ会議スケジュール情報は、前記登録されたテレビ会議の相手先情報と関連づけられて、テレビ会議スケジュールデータベース１２に記録される（ステップＳ１５０）。
【００２７】
その後、設定されたテレビ会議スケジュール情報は、テレビ会議の相手先宛に制御部３よりネットワーク部１３を介して送信される（ステップＳ１６０）。
【００２８】
図４は、本実施形態においてテレビ会議情報を受信した際の処理手順を説明するためのフローチャートである。
【００２９】
スケジュール管理装置１００は、ネットワーク部１３によりテレビ会議スケジュール情報を受信すると（ステップＳ２００）、テレビ会議スケジュールデータベース１２に前記テレビ会議スケジュール情報を送信元の登録情報と関連づけて記録する（ステップＳ２１０）。
【００３０】
図５は、ＥＰＧ表示の処理手順を説明するためのフローチャートである。
【００３１】
ユーザが操作部６を操作してＥＰＧ表示を選択すると（ステップＳ３００）、ステップＳ３１０に進む。
【００３２】
ステップＳ３１０において、ＥＰＧ生成部８は、番組情報データベース７から番組情報を読み出し、テレビ会議スケジュールデータベース１２からテレビ会議スケジュール情報を読み出す。ＥＰＧ生成部８は、読み出された番組情報及びテレビ会議スケジュール情報を組み合わせたＥＰＧを生成し、表示制御部９に供給する。表示制御部９は、ＥＰＧ生成部８からのＥＰＧを映像信号に変換して表示部１０に表示させる。
【００３３】
図２は、表示部１０に表示されるＥＰＧの一例を示す図である。図２において、番組名Ａ０、Ａ１等は、各時刻において放送されるテレビ番組を示す。
【００３４】
また、ユーザが既に録画予約又は視聴予約を行ったテレビ番組については、テレビ番組Ａ１のように、その旨が表示される。
【００３５】
さらに、右端の列には、テレビ会議のスケジュールが表示される。この例では、ユーザは、８時から９時までの１時間、おばあちゃん宅へテレビ電話を行う予約を入れており、さらに、１０時から１１時までの１時間、英会話のテレビレッスンを行う予約を入れている。英会話のテレビレッスンについては、録画予約も行うように設定されている。
【００３６】
なお、本実施形態では、１列にテレビ会議のスケジュールを表示しているが、テレビ会議の相手先ごとに列を変えて表示してもよい。
【００３７】
このように、テレビ会議のスケジュールがＥＰＧの右端にまとめて表示されるために、ユーザは、テレビジョンの視聴予約番組又は録画予約番組とテレビ会議等のスケジュールとの重複の有無を、容易に確認することができる。
【００３８】
表示部１０にＥＰＧを表示させた状態で、テレビ会議のスケジュールを変更する場合（ステップＳ３２０）、ユーザは、ＥＰＧを見ながらテレビ会議スケジュール入力部１１よりテレビ会議のスケジュールを変更することが可能である（ステップＳ３３０）。
【００３９】
例えば、スケジュール削除、テレビ会議時間変更、録画の有無を変更することが可能である。
【００４０】
ユーザは、例えば図２のテレビ会議のスケジュール中のおばあちゃんの欄を選択し、開始時間を７時から８時までの１時間といったように変更をすることができる。
【００４１】
変更したテレビ会議スケジュール情報は、テレビ会議スケジュールデータベース１２に記録される（ステップＳ３４０）。
【００４２】
さらに、変更されたテレビ会議スケジュールを反映したＥＰＧが表示部１０に再表示される（ステップＳ３５０）。
【００４３】
その後、ステップＳ３６０にて、変更されたテレビ会議スケジュール情報は、テレビ会議の相手先宛に制御部３よりネットワーク部１３を介して送信される。
【００４４】
図６は、テレビ会議の開始時の処理手順を説明するためのフローチャートである。
【００４５】
スケジュール管理装置１００は、テレビ会議の開始時間を検出すると（ステップＳ４００）、ステップＳ４１０に進んでテレビ会議の相手先に自動接続を試みる（ステップＳ４１０）。
【００４６】
ステップＳ４２０で相手先と接続してテレビ会議の準備が完了すると（ステップＳ４２０）、ステップＳ４３０に進む。ステップＳ４２０で相手先との接続に失敗したりテレビ会議の準備が完了しない場合、ステップＳ４１０に戻る。
【００４７】
ステップＳ４３０にて、予約したテレビ会議に録画フラグがたっている場合、すなわちユーザがテレビ会議を録画するとの設定をした場合、ステップＳ４４０に進んでテレビ会議の様子を蓄積部１４に記録する。
【００４８】
このように、本実施形態に係るスケジュール管理装置１００によれば、デジタルテレビジョン放送用のＥＰＧと、テレビ会議のスケジュールの両方を同一画面上で確認することができる。
【００４９】
また、本実施形態に係るスケジュール管理装置１００によれば、視聴予約番組又は録画予約番組と、テレビ会議のスケジュールとの重複の有無を、容易に確認することができる。視聴予約や録画予約を誤りなく行うこともできる。
【００５０】
さらに、本実施形態に係るスケジュール管理装置１００によれば、テレビ会議の予約開始時間になると予約されたテレビ会議の相手先に自動的に接続を行うため、テレビ会議の準備を確実に行うことが可能となる。
【００５１】
＜他の実施形態＞
上述の実施形態の目的は、次のような方法によっても達成される。すなわち、前述した実施形態の機能を実現するソフトウェアのプログラムコードを記録した記憶媒体（又は記録媒体）を、システムあるいは装置に供給する。そして、そのシステムあるいは装置のコンピュータ（又はＣＰＵやＭＰＵ）が記憶媒体に格納されたプログラムコードを読み出し実行する。
【００５２】
この場合、記憶媒体から読み出されたプログラムコード自体が前述した実施形態の機能を実現することになり、そのプログラムコードを記憶した記憶媒体は本発明を構成することになる。
【００５３】
また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部又は全部を行い、その処理によって前述した実施形態の機能が実現される。
【００５４】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部又は全部を行い、その処理によって前述した実施形態の機能が実現される。
【００５５】
本発明を上記記憶媒体に適用する場合、その記憶媒体には、先に説明した手順に対応するプログラムコードが格納されることになる。
【図面の簡単な説明】
【００５６】
【図１】本実施形態におけるスケジュール管理装置の主要な構成要素を示すブロック図である。
【図２】本実施形態における電子番組表（ＥＰＧ）の一例を示す図である。
【図３】テレビ会議のスケジュール予約の手順を説明するためのフローチャートである。
【図４】テレビ会議情報を受信した際の処理手順を説明するためのフローチャートである。
【図５】ＥＰＧの表示の処理手順を説明するためのフローチャートである。
【図６】テレビ会議の開始時の処理手順を説明するためのフローチャートである。
【図１】
2009147801.tif 000003
【図２】
2009147801.tif 000004
【図３】
2009147801.tif 000005
【図４】
2009147801.tif 000006
【図５】
2009147801.tif 000007
【図６】
2009147801.tif 000008